(57)【要約】【課題】ベールレスタイプの魚釣用スピニングリールにおいて、釣糸案内部からの釣糸の脱落を防止でき、かつ釣糸の出し入れを安定して行なえる魚釣用スピニングリールを提供する。【解決手段】本発明の魚釣用スピニングリールは、リール本体２に設けたハンドル７の回転操作で連動回転するロータ３に設けた釣糸案内部１０を介してスプールに釣糸を巻回するよう構成されており、釣糸案内部１０を支持する支持部材３ｃに釣糸の釣糸案内部１０からの脱落を防止する脱落防止部材２０が設けられている。そして、この脱落防止部材２０は、釣糸Ｓの釣糸案内部１０からの脱落防止及び開放をすべく、支持部材３ｃに切換え可能に構成されている。【選択図】    図１
2006246751.tif 000002
【特許請求の範囲】
【請求項１】
リール本体に設けたハンドルの回転操作で釣糸が巻回されるスプールと、
前記リール本体に設けたハンドルの回転操作で連動回転するロータと、
前記ロータに設けられ、釣糸を前記スプールに巻回案内する釣糸案内部を備えた支持部材と、
釣糸の前記釣糸案内部からの脱落を防止するように設けられた脱落防止部材と、
前記脱落防止部材を、釣糸の脱落防止位置と釣糸の開放位置との間で移動可能に保持する保持手段と、
を有することを特徴とする魚釣用スピニングリール。
【請求項２】
前記保持手段は、前記脱落防止部材を、前記脱落防止位置と開放位置で夫々位置決めする位置決め機能を有することを特徴とする請求項１に記載の魚釣用スピニングリール。
【請求項３】
リール本体に設けたハンドルの回転操作で連動回転するロータに設けた釣糸案内部を介してスプールに釣糸を巻回する魚釣用スピニングリールにおいて、
前記釣糸案内部を支持する支持部材に釣糸の前記釣糸案内部からの脱落を防止する脱落防止部材を設け、
前記脱落防止部材は、釣糸の前記釣糸案内部からの脱落防止及び開放をすべく、前記支持部材に切換え可能に構成されていることを特徴とする魚釣用スピニングリール。
【発明の詳細な説明】
【技術分野】
【０００１】
本発明は、ハンドルに連動回転するロータに、スプールに釣糸を案内する釣糸案内部を具備した支持部材を設けてなる魚釣用スピニングリールに関する。
【背景技術】
【０００２】
魚釣用スピニングリールは、一般的に知られているように、ハンドルの回転操作で、釣糸案内部を有するロータを回転させ、前後動するスプールに釣糸を巻回する構成である。前記ロータには、一対の支持アームが設けられており、この支持アームの先端には、一方に釣糸案内部を具備した支持部材が、釣糸放出位置と釣糸巻取り位置との間で回動可能に支持されている。そして、前記支持部材には、スプールから放出された釣糸がハンドルの回転操作で自動的にスプールに案内巻回できるように、放出状態にある釣糸をピックアップする半環状のベールが装着されている。
【０００３】
通常、魚釣用スピニングリールは、上記したように構成されているが、釣り用途によっては（特に軽量化及び釣糸放出抵抗軽減によって飛距離向上を狙う投げ釣り等）、構成を簡略化することが行なわれており、例えば、特許文献１に開示されているように、上記したベールを無くしたもの（ベールレス）が知られている。この特許文献１に開示されているスピニングリールでは、ベールを無くした釣糸案内部の軸に突起を設け、この突起を、ロータの支持アームに設けた弾性部材に、釣糸の出し入れが可能となるように当接させた構成となっている。
【特許文献１】実開昭６２−１８７５８０号
【発明の開示】
【発明が解決しようとする課題】
【０００４】
上記した構成の魚釣用スピニングリールでは、釣人は、突起が当接する弾性部材の付勢力に抗して釣糸を釣糸案内部に対して出し入れ操作するため、釣糸の太さの大小や、弾性部材の使用経過による劣化、及び損傷等により、釣糸案内部からの釣糸の脱落を確実に防止できなくなるという問題がある。すなわち、実釣時における糸ふけや釣糸の張力変化、或いは風の影響等によって、釣糸が釣糸案内部から容易に脱落してしまう。
【０００５】
また、これに伴い、突起と弾性部材の当接力が安定せず、釣糸の釣糸案内部に対する出し入れが容易かつスムーズに行なえなくなるという問題がある。特に、海水、水、ゴミ、異物等を多く含んだ釣糸が釣糸案内部との接触によってスプールに案内されることになるので、突起が常時当接する支持アーム部分にこれらが付着して溜まり易く、固化したり腐食したりして、釣糸の釣糸案内部に対する出し入れが容易に行なえなくなる、という問題がある。
【０００６】
本発明は、上記した問題に基づいてなされたものであり、ベールレスタイプの魚釣用スピニングリールにおいて、釣糸案内部からの釣糸の脱落を防止でき、かつ釣糸の出し入れを安定して行なえる魚釣用スピニングリールを提供することを目的とする。
【課題を解決するための手段】
【０００７】
上記した目的を達成するために、本発明に係る魚釣用スピニングリールは、リール本体に設けたハンドルの回転操作で釣糸が巻回されるスプールと、前記リール本体に設けたハンドルの回転操作で連動回転するロータと、前記ロータに設けられ、釣糸を前記スプールに巻回案内する釣糸案内部を備えた支持部材と、釣糸の前記釣糸案内部からの脱落を防止するように設けられた脱落防止部材と、前記脱落防止部材を、釣糸の脱落防止位置と釣糸の開放位置との間で移動可能に保持する保持手段と、を有することを特徴とする。
【０００８】
また、上記した目的を達成するために、本発明に係る魚釣用スピニングリールは、リール本体に設けたハンドルの回転操作で連動回転するロータに設けた釣糸案内部を介してスプールに釣糸を巻回する構成において、前記釣糸案内部を支持する支持部材に釣糸の前記釣糸案内部からの脱落を防止する脱落防止部材を設け、前記脱落防止部材は、釣糸の前記釣糸案内部からの脱落防止及び開放をすべく、前記支持部材に切換え可能に構成されていることを特徴とする。
【０００９】
上記した構成によれば、釣糸案内部に係合する釣糸は、脱落防止部材を脱落防止状態から開放状態に移動することで釣糸案内部から外れて仕掛けを投擲することが可能となり、また、仕掛けを投擲した後は、釣糸を摘んで釣糸案内部に係合させ、脱落防止部材を開放状態から脱落防止状態に移動する（切換える）ことで、釣糸は、釣糸案内部からの脱落が防止される。このように、脱落防止部材は、釣糸の脱落防止状態と開放状態との間で移動可能に構成されていることから、釣糸の釣糸案内部に対する出し入れが容易かつスムーズに行なえるようになる。
【発明の効果】
【００１０】
本発明によれば、釣糸案内部からの釣糸の脱落を防止でき、かつ釣糸の出し入れを安定して行なえるベールレスタイプの魚釣用スピニングリールが得られるようになる。
【発明を実施するための最良の形態】
【００１１】
図１乃至図５は、本発明の第１の実施形態を示す図であり、図１は、魚釣用スピニングリールの一構成例を示す図、図２は、図１を矢印Ａ方向から見た図、図３は、図２のＢ−Ｂ線に沿った断面図、図４は、図３のＣ−Ｃ線に沿った断面図、そして、図５は、釣糸案内部領域の分解図である。
【００１２】
魚釣用スピニングリール１のリール本体２には、釣竿に装着されるリール脚２ａが一体形成されており、その前方には回転可能に支持されたロータ３と、ロータ３の回転運動と同期して前後動可能に支持されたスプール５が配設されている。
【００１３】
リール本体２には、ハンドル７が回転可能に装着されており、リール本体２内には、ハンドル７を回転操作することで、前記ロータ３を回転駆動させると共に、スプール５を往復動させる公知の動力伝達機構が配設されている。
【００１４】
前記ロータ３は、前記スプール５のスカート部５ａに覆われる円筒部３ａと、この円筒部に対して略１８０°間隔で設けられる一対の支持アーム３ｂとを有しており、一対の支持アーム３ｂは、ロータ３が回転駆動された際、前後往復動されるスプール５の回りを回転する。また、前記支持アーム３ｂの先端側には、釣糸案内部（ラインローラ）１０を支持した支持部材３ｃが回動可能に設けられている。
【００１５】
この場合、前記支持アーム３ｂは、ロータ３の回転バランスが低下しないように一対設けられているが、単体であっても良い。また、前記支持部材３ｃは、釣糸の開放操作が行ない易いように回動可能となっているが、支持アーム３ｂと一体化されて、回動しないように構成されていても良い。
【００１６】
前記支持部材３ｃには、先端部にビス１２が挿通される通孔１３が形成されており、ビス１２の先端部に形成された雄ネジ部１２ａが、支持部材３ｃの先端部と対向して一体化される保持部材１５の雌ネジ部１５ａに螺入されるようになっている。前記釣糸案内部１０は、支持部材３ｃと保持部材１５の間に介在されており、ビス１２との間に配設される軸受１７ａ、及び保持部材１５との間に配設される軸受１７ｂによって回転可能に支持されている。
【００１７】
そして、保持部材１５には、釣糸Ｓの脱落を防止する状態と釣糸Ｓの開放を可能にする状態との間で切換え可能な脱落防止部材２０が設けられている。すなわち、保持部材１５は、脱落防止部材２０を保持する保持手段としての機能を備えており、本実施形態における保持部材１５は、前記雌ネジ部１５ａと反対側に形成された雌ネジ部１５ｂを備え、ここに螺入される抜け止めネジ２２によって、保持部材１５の支持筒１５ｃに回動可能に支持された脱落防止部材２０を抜け止め保持している。
【００１８】
脱落防止部材２０には、径方向外方に突出するように脱落防止片２０ａが一体形成されており、この脱落防止片２０ａは、図２に示す脱落防止位置（実線で示す位置）となったとき、その先端が支持部材３ｃの内側面３ｄに当接する程度の長さを有しており、釣糸Ｓの下方への脱落を防止するようにしている。この場合、脱落防止部材２０ａは、釣糸の脱落を防止できれば、内側面３ｄとの間に多少の隙間が存在していても良い。また、脱落防止片２０ａは、釣糸を開放可能な状態では、開放位置（２点鎖線で示す位置）に移動され、スプール５の前鍔部５ｂと干渉しない位置に回動されるようになっている。
【００１９】
また、前記保持部材１５は、上記したように回動される脱落防止部材２０を、脱落防止位置と開放位置で位置決めできるような位置決め機能（位置決め手段）を備えている。
【００２０】
この位置決め手段は、図４及び図５に示すように、前記保持部材１５に径方向に延出するように形成される筒状の保持部３０と、保持部３０内に配設される付勢バネ３１と、付勢バネ３１の両端に配設される位置保持部材３２とを備えている。そして、脱落防止部材２０には、支持部材３ｃ側に向けて略円状の凹所２０ｂが形成されており、その内周面には、前記付勢バネ３１によって径方向外方に付勢される位置保持部材３２が、脱落防止位置及び開放位置で係止されるように、位置決め凹部２０ｃ，２０ｄが形成されている。
【００２１】
すなわち、脱落防止部材２０を脱落防止位置に回動すると、両位置保持部材３２が位置決め凹部２０ｃに係合して位置決めされ、開放止位置に回動すると、両位置保持部材３２が位置決め凹部２０ｄに係合して位置決めされるようになり、脱落防止状態と開放状態が安定して維持されるようになっている。
【００２２】
以上のように構成される魚釣用スピニングリールでは、釣糸案内部１０に係合する釣糸Ｓは、脱落防止部材２０を指で摘んで図２に示す実線位置（脱落防止状態）から２点鎖線位置（開放状態）に回動することで、釣糸案内部１０の下方から外れ、仕掛けを投擲することが可能な状態となる。この場合、支持部材３ｃは、支持アーム３ｂに対して回動可能に構成されていることから、支持部材３ｃを図２の奥側に向けて回動することで、開放領域が広がり、よりスムーズに釣糸を開放することが可能となる。
【００２３】
また、仕掛けを投擲した後は、上記した状態において、釣糸Ｓを摘んで釣糸案内部１０に係合させ、脱落防止部材２０を開放状態から脱落防止状態に回動、保持することで、釣糸Ｓは、釣糸案内部１０からの脱落が防止される。このため、実釣時に糸ふけや釣糸の張力変化、或いは風の影響等があっても、釣糸Ｓが釣糸案内部１０から容易に脱落するようなことはない。なお、脱落防止状態は、上記した位置決め手段によって位置決めされていることから、脱落防止部材２０が不用意に開放状態に移行するようなことも無く、釣糸が釣糸案内部１０から容易に脱落するようなこともない。
【００２４】
さらに、上記した脱落防止部材２０は、移動（回動）可能となっており、その操作で脱落防止状態と開放状態が切換わることから、開放時には、釣糸Ｓを容易に釣糸案内部１０から取り外したり、係合させることができる。すなわち、脱落防止部材２０は、支持部材３ｃ（支持アーム３ｂ）に常時当接して釣糸Ｓの脱落を防止するような構成でないことから、海水、水、ゴミ、異物等を多く含んだ釣糸が付着するようなこともなく、常に、釣糸案内部１０に対する出し入れが容易に行なえるようになり、また、釣糸案内部１０の周囲の清掃も容易に行なえるようになる。
【００２５】
図６及び図７は、本発明の第２の実施形態における釣糸案内部の領域を示した図であり図６は、その中央断面図、図７は、図６を矢印Ｄ方向から見た図である。
【００２６】
上記した実施形態では、脱落防止部材２０の保持手段として、脱落防止部材を釣糸案内部１０を支持する保持部材１５の支持筒１５ｃ内に螺入するビス２２を中心にして回動する（支軸に対して直交する方向に回動する）ように構成したが、この実施形態に示すように、保持部材１５の支持筒１５ｃ内に螺入するビス２２の延出方向に沿った面内で回動するように、保持部材１５に保持しても良い。具体的には、脱落防止部材２０Ａをピン４０によって保持部材１５に回動可能に支持すると共に、両者の間に付勢バネ４２を配置しておき、脱落防止部材２０Ａを常時、実線で示す脱落防止位置に向けて回動付勢しておく。
【００２７】
このように、脱落防止部材は、釣糸案内部１０から釣糸が脱落することが防止できるような位置と、釣糸を摘んで釣糸案内部１０から容易に開放することができるような位置との間で移動できる（切換えが行なえる）ように保持されたものであれば良く、脱落防止部材の保持方法や移動方向、及びそれに伴う具体的な形状等については、適宜変形することが可能である。
【００２８】
また、上記した実施形態では、脱落防止部材は、回動するように構成されていたが、軸方向に沿ってスライド移動したり、或いは、スライド移動すると共に回動するように保持されていても良い。さらに、脱落防止部材については、保持部材１５に対して振分け保持バネによって、脱落防止位置と開放位置との間で振分け保持されるような構成であっても良い。
【図面の簡単な説明】
【００２９】
【図１】本発明の第１の実施形態を示す図であり、魚釣用スピニングリールの一構成例を示す図。
【図２】図１を矢印Ａ方向から見た図。
【図３】図２のＢ−Ｂ線に沿った断面図。
【図４】図３のＣ−Ｃ線に沿った断面図。
【図５】釣糸案内部領域の分解図。
【図６】本発明の第２の実施形態を示す図であり、釣糸案内部の領域を示した中央断面図。
【図７】図６を矢印Ｄ方向から見た図。
【符号の説明】
【００３０】
１  魚釣用スピニングリール
２  リール本体
３  ロータ
３ｃ  支持部材
５  スプール
７  ハンドル
１０  釣糸案内部
１５  保持部材
２０，２０Ａ  脱落防止部材
Ｓ  釣糸
【図１】
2006246751.tif 000003
【図２】
2006246751.tif 000004
【図３】
2006246751.tif 000005
【図４】
2006246751.tif 000006
【図５】
2006246751.tif 000007
【図６】
2006246751.tif 000008
【図７】
2006246751.tif 000009